(57)【要約】【課題】使用時に係止部を被係止部から外れにくくし、内容器が不用意に外容器内から抜け出ることを防止することができる二重容器を提供することを目的とする。【解決手段】内容物を収容する内容器２と、内容器２を収納した外容器３と、を備える二重容器１において、内容器２には、内容器２の外周部から垂下され、容器径方向外側の押圧面２３ａが押圧されることで上端を支点にして容器径方向内側に向けて回動する押圧部２３が設けられており、押圧部２３には、弾性的に撓み変形可能な可撓腕部２９が垂下され、外容器３には、可撓腕部２９に対して容器周方向に隣り合う被係止部３６が設けられ、可撓腕部２９には、容器周方向に突出して被係止部３６に下方から係止する係止部２４が設けられている。【選択図】図１
2011157083.tif 000002
【特許請求の範囲】
【請求項１】
内容物を収容する内容器と、該内容器を収納した外容器と、を備える二重容器において、
前記内容器には、該内容器の外周部から垂下され、容器径方向外側の押圧面が押圧されることで上端を支点にして容器径方向内側に向けて回動する押圧部が設けられており、
該押圧部には、弾性的に撓み変形可能な可撓腕部が垂下され、
前記外容器には、前記可撓腕部に対して容器周方向に隣り合う被係止部が設けられ、
前記可撓腕部には、容器周方向に突出して前記被係止部に下方から係止する係止部が設けられていることを特徴とする二重容器。
【請求項２】
請求項１に記載の二重容器において、
前記内容器には、前記押圧部を容器径方向外側に回動するように付勢する付勢体が設けられていることを特徴とする二重容器。
【発明の詳細な説明】
【技術分野】
【０００１】
本発明は、内容器と外容器とを組み合わせた二重容器に関する。
【背景技術】
【０００２】
この種の二重容器として、従来、例えば下記特許文献１に示されるような、クリーム等の内容物を収容する内容器と、内容器を収納した外容器と、を備える構成が知られている。上記した内容器は、外容器に対して出し入れ可能なレフィール容器であり、消費者によって外容器内に収納された内容器を取り外して新たな内容器に交換することで、外容器の再利用が図られる。
【０００３】
ところで、上記した内容器には、内容器の外周部から垂下された押圧部が設けられている。この押圧部は、指等で容器径方向内側に向けて押圧されることで上端を支点にして容器径方向内側に向けて回動する板片であり、内容器の周壁部の両側にそれぞれ間隔をあけて配設されている。
【０００４】
この押圧部の外面には、押圧部の横幅方向に延在する係止部が突設されている。一方、外容器の周壁部の上部には、押圧部が嵌め込まれる切欠部が形成されている。この切欠部には、押圧部の容器径方向の外側に立設されて押圧部の下端部に対向する壁部が形成されており、この壁部の内面には、上記した係止部によって下方から係止される被係止部が突設されている。これにより、上記した係止部と被係止部とによって押圧部と切欠部とがアンダーカット嵌合され、外容器内からの内容器の抜け出しが規制される。
【０００５】
上記した構成からなる従来の二重容器では、外容器から内容器を取り外す際、まず、両側の押圧部を指等で摘んで容器径方向内側に向けてそれぞれ押圧することにより、両側の押圧部がそれぞれ上端を支点にして容器径方向内側に向かって回動する。これにより、押圧部の係止部が外容器の被係止部から外れる。
そして、押圧部を押圧したまま、内容器を引き上げることで、内容器が外容器から引き抜かれる。このように外容器内から内容器を取り出した後、新たな内容器を外容器内に挿入することで、内容器の交換が行われる。
【先行技術文献】
【特許文献】
【０００６】
【特許文献１】実用新案登録第２５８８２０１号公報
【発明の概要】
【発明が解決しようとする課題】
【０００７】
しかしながら、上記した従来の二重容器では、外容器内からの内容器の抜け出しを規制する係止部が、容器径方向内側に向けて回動可能な押圧部の外面に突設されており、この容器径方向外側に向けて突出した係止部が、押圧部の径方向外側に配設された被係止部に係止されているため、使用時に係止部が被係止部から誤って外れやすく、内容器が不用意に外容器内から抜け出るおそれがある。
【０００８】
本発明は、上記した従来の問題が考慮されたものであり、使用時に係止部を被係止部から外れにくくし、内容器が不用意に外容器内から抜け出ることを防止することができる二重容器を提供することを目的としている。
【課題を解決するための手段】
【０００９】
本発明に係る二重容器は、内容物を収容する内容器と、該内容器を収納した外容器と、を備える二重容器において、前記内容器には、該内容器の外周部から垂下され、容器径方向外側の押圧面が押圧されることで上端を支点にして容器径方向内側に向けて回動する押圧部が設けられており、該押圧部には、弾性的に撓み変形可能な可撓腕部が垂下され、前記外容器には、前記可撓腕部に対して容器周方向に隣り合う被係止部が設けられ、前記可撓腕部には、容器周方向に突出して前記被係止部に下方から係止する係止部が設けられていることを特徴としている。
【００１０】
このような特徴により、外容器内に収納された内容器を取り出す際には、まず、押圧部の押圧面を押圧して押圧部を容器径方向内側に向けて回動させる。これにより、押圧部に設けられた可撓腕部が容器径方向内側に移動し、この可撓腕部に設けられた係止部が被係止部から外れる。続いて、押圧面を押圧したまま内容器を外容器内から引き抜く。これにより、外容器内から内容器が取り出される。
また、外容器内に内容器を収納させる際には、外容器の被係止部と内容器の係止部との周方向位置を合わせつつ、外容器内に内容器を挿入する。このとき、可撓腕部が撓み変形することで係止部が被係止部を乗り越えて被係止部の下方まで容易に移動し、被係止部の下面に係止部が係止される。これにより、外容器内からの内容器の抜け出しが規制される。
また、上述したように、押圧部の可撓腕部に設けられた係止部が容器周方向に向けて突出されており、この係止部が被係止部に下方から係止するので、係止部が被係止部から誤って外れにくい。
【００１１】
また、本発明に係る二重容器は、前記内容器に、前記押圧部を容器径方向外側に回動するように付勢する付勢体が設けられていることが好ましい。
【００１２】
これにより、付勢体によって押圧部が容器径方向外側に回動するように付勢されるので、内容器を外容器から取り出す前の段階では、押圧部が容器径方向内側に移動しにくく、係止部が外容器の被係止部に対してより確実に係止している。つまり、内容器は外容器内により強固に固定される。従って、外容器から内容器を抜け難くすることができ、二重容器としての信頼性を高めることができる。
また、付勢体が押圧部を容器径方向外側に回動するように付勢しているので、内容器の製造段階において、押圧部が容器径方向内側に撓んでしまうような癖が付き難い。しかも、その後に内容器を搬送するような場合、内容器同士が接触したり、内容器がなんらかに接触したりしたとしても、やはり押圧部が容器径方向内側に撓んでしまうような癖が付き難い。
従って、内容器を外容器内に挿入して組み付ける際に、押圧部の可撓腕部に設けられた係止部を外容器の被係止部に対して確実に係止させることができ、内容器と外容器とを強固に組み合わせることができる。
【発明の効果】
【００１３】
本発明に係る二重容器によれば、使用時に係止部が被係止部から誤って外れにくいので、内容器が不用意に外容器内から抜け出ることを防止することができる。
【図面の簡単な説明】
【００１４】
【図１】本発明の実施形態を説明するための二重容器の破断図であり、図２に示すＡ方向矢視の図である。
【図２】本発明の実施形態を説明するための二重容器の平面図であって、中蓋や外装蓋が外された状態を示した図である。
【図３】本発明の実施形態を説明するための二重容器の縦断面図であって、図２におけるＢ−Ｂ´間の断面図である。
【図４】本発明の実施形態を説明するための押圧部を示した横断面図であり、図１に示すＣ−Ｃ´間の断面図である。
【図５】本発明の実施形態を説明するための外容器の切欠部を示した斜視図である。
【図６】本発明の実施形態を説明するための押圧部を示した斜視図である。
【図７】本発明の実施形態を説明するための押圧部を示した縦断面図である。
【図８】本発明の実施形態を説明するための押圧部を示した側面図である。
【図９】本発明の変形例を説明するための外容器の切欠部を示した斜視図である。
【図１０】本発明の変形例を説明するための押圧部を示した縦断面図である。
【発明を実施するための形態】
【００１５】
以下、本発明に係る二重容器の実施の形態について、図面に基いて説明する。
なお、図１に示す鎖線Ｏは二重容器１の中心軸線を示しており、以下、単に「軸線Ｏ」と記す。また、本実施形態では、軸線Ｏに沿った方向を「軸方向」とし、軸線Ｏに直交する方向を「径方向」とする。また、本実施形態では、後述する内容器２及び外容器３の口部２０，３０側（図１における上側）を「上側」とし、その反対側（図１における下側）を「下側」とする。
【００１６】
図１に示すように、二重容器１は、クリーム等の内容物を収容した内容器２と、その内容器２を収納可能な外容器３と、内容器２の口部２０を閉塞する中蓋４と、外容器３に被着された外装蓋５と、を備えている。
【００１７】
まず、外容器３の構成について説明する。
図１から図３に示すように、外容器３は、上端が開放された有底筒状の外装容器である。この外容器３は、例えばポリオレフィン系、ポリエステル系、ポリスチレン系等の合成樹脂や、金属、ガラス等を単独もしくは組み合わせて構成されており、例えば射出成形、ブロー成形、プレス成形等によって成形される。外容器３の概略構成としては、軸線Ｏに沿って延設された略円筒形状の周壁部３１と、その周壁部３１の下側部分に設けられた底壁部３２と、を備えている。
【００１８】
周壁部３１の上端部には、外周面が全周に亘って段差状に縮径された口部３０が形成されている。この口部３０の外周面には、略螺旋状に延設された雄ねじ３３が形成されている。また、周壁部３１の上部の内周面には、周壁部３１の上端（口部３０の上端）から軸方向に沿って延在する凹溝状のガイド溝３４が形成されている。このガイド溝３４は、二本平行に形成されている。
【００１９】
また、図１から図５に示すように、周壁部３１には、後述する内容器２の押圧部２３が嵌め込まれる切欠部３５が形成されている。この切欠部３５は、周壁部３１の上部（口部３０）を側面視凹状に切り欠いた切欠部である。切欠部３５は、周壁部３１の上端（口部３０の上端）から軸方向に沿って口部３０の下端の下方まで延在されており、口部３０の下方の周壁部３１のうち、外周部分を残して内周部分が切り欠かれている。すなわち、切欠部３５の下部は、平面視において径方向内側に向けて開放された凹形状となっており、切欠部３５の下部は、周方向に沿って形成された背壁面３７と、背壁面３７の周方向両側の側辺から外容器３の内周面側に向けてそれぞれ延在すると共に互いに対向する両側の側壁面３８、３８と、背壁面３７及び両側の側壁面３８、３８の各下辺の間に形成された底面３９と、によって形成されている。
【００２０】
上記した切欠部３５の下部の内側には、内容器２を抜け止めするための被係止部３６が配設されている。詳しく説明すると、被係止部３６は、背壁面３７と側壁面３８との隅角部分に配設された突起であり、切欠部３５の内部の周方向両側にそれぞれ配設されている。つまり、一対の被係止部３６、３６は、周方向に間隔をあけて並設されている。また、被係止部３６は、横幅（略容器周方向の幅寸法）が上方に向かうに従い漸次縮幅された側面視略三角形状の突起であり、背壁面３７の周方向側端側から中央側に向けて下向きに傾斜した傾斜面３６ａを有している。また、被係止部３６は、上記した切欠部３５の底面３９よりも上方に配設されており、被係止部３６の下面と切欠部３５の底面３９との間には、後述する係止部２４が嵌め込み可能な隙間があけられている。
【００２１】
また、図２に示すように、ガイド溝３４及び切欠部３５は、それぞれ軸線Ｏを挟んで一対ずつ配設されており、これら一対のガイド溝３４と一対の切欠部３５とは、互いに直交する位置に配設されている。
【００２２】
続いて、内容器２の構成について説明する。
内容器２は、外容器３に対して出し入れ可能な容器であり、消費者によって適宜交換可能なレフィール容器である。
詳しく説明すると、図１から図３に示すように、内容器２は、上端が開放された有底筒状の内装容器であり、例えばポリオレフィン系、ポリエステル系、ポリスチレン系等の合成樹脂からなり、例えば射出成形やブロー成形等によって成形される。なお、内容器２は、例えばプレス成形等によって形成される薄肉の金属などを周壁部２１及び底壁部２２に使用した容器であってもよい。内容器２の概略構成としては、軸線Ｏに沿って延設された略円筒形状の周壁部２１と、その周壁部２１の下側部分に設けられた底壁部２２と、を備えている。
【００２３】
周壁部２１の上端部には、全周に亘って径方向外側に拡径された口部２０が形成されており、その口部２０の上端部の内周面には、内径が全周に亘って段差状に拡径された拡径部２７が形成されている。また、この内容器２の周壁部２１の外径は、外容器３の周壁部３１の内径よりも若干小さく、内容器２は外容器３の内側に隙間をあけて収納されている。なお、内容器２の周壁部２１の外径と外容器３の周壁部３１の内径とを等しくしても良い。また、内容器２の外側の高さ（外高）は、外容器３の内側の高さ（内高）よりも高くなっており、内容器２の上端部（口部２０）は、外容器３の口部３０から上方に向けて突出され、外容器３の口部３０の直上に配置されている。
【００２４】
また、内容器２の口部２０には、内容器２を外容器３の内側に挿入したときに上記した切欠部３５に嵌め込まれる押圧部２３が設けられている。この押圧部２３は、口部２０の下端から軸方向に沿って垂下された略矩形板状の垂壁部であり、径方向外側の押圧面２３ａが押圧されることで上端を支点にして径方向内側に向けて回動する操作片である。
押圧部２３の内面（径方向内側の面）は、内容器２の周壁部２１の外周面との間に隙間をあけて対向されており、押圧部２３は、径方向内側に向かって弾性的に撓み変形可能となっている。
【００２５】
図１、図６に示すように、上記した押圧部２３の下端部には、下向きに突出した凸部２８が形成されていると共に、その凸部２８の両側に可撓腕部２９、２９がそれぞれ配設されている。可撓腕部２９は、下向きに延在する弾性的に撓み変形可能な腕部であり、押圧部２３のうちの凸部２８の両側の部分から押圧部２３の表面に沿って垂下されている。この可撓腕部２９と凸部２８との間には、可撓腕部２９や凸部２８の下端位置から上方に向けて延在するスリット２３ｂ（隙間）が形成されており、この可撓腕部２９は、その上端を支点にして上記した外容器３の背壁面３７（押圧部２３の表面に沿った仮想平面）に沿って揺動するように撓み変形可能となっている。また、可撓腕部２９は、上記した外容器３の被係止部３６に対して容器周方向に隣り合って配設されている。すなわち、周方向に間隔をあけて並設された一対の被係止部３６、３６の間に一対の可撓腕部２９、２９及び凸部２８が配設されており、可撓腕部２９と被係止部３６は周方向に隣接している。
【００２６】
図１、図６、図７（ａ）に示すように、上記した可撓腕部２９には、上記した外容器３の被係止部３６に下方から係止する係止部２４が設けられている。この係止部２４は、可撓腕部２９の下端部の側面（凸部２８側の反対側の側面）に突設された突起であり、容器周方向（押圧部２３の横幅方向外側）に突出されている。また、係止部２４は、横幅（略容器周方向の幅寸法）が下方に向かうに従い漸次縮幅された側面視略三角形状の突起であり、上端から下方に向けて押圧部２３の横幅方向の中央側に傾斜した傾斜面２４ａを有している。また、係止部２４は、上記した被係止部３６の下面と切欠部３５の底面３９との間の嵌め込まれており、係止部２４の上面が被係止部３６の下面に当接されている。
なお、凸部２８を挟んで両側に配設された一対の可撓腕部２９、２９及び係止部２４、２４は、側面視において線対称に形成されている。
【００２７】
また、図１、図３、図６、図７（ａ）に示すように、内容器２には、押圧部２３を容器径方向外側に回動するように付勢するレバー部（付勢体）１０が設けられている。レバー部１０は、押圧部２３の凸部２８の下端部の内面（径方向内側の面）から径方向内側で且つ上方に向かって延在するように形成された板片状の部材である。このレバー部１０は、押圧部２３の周方向中央部に配設されており、周方向に沿った横幅が凸部２８の横幅と同程度であって押圧部２３よりも短くなっている。また、このレバー部１０の先端（上端）には、周壁部２１側に突出した連結部１１が設けられており、内容器２の製造後、外容器３に組み合わされる前の段階では、この連結部１１と周壁部２１の外周面との境界部分が連結された状態となっている。そして、レバー部１０は、この状態において自身の弾性力により押圧部２３を径方向外側に回動するように付勢している。
なお、前記境界部分は、破断可能な弱化部（薄肉部）として形成されている。
【００２８】
また、図１、図３に示すように、口部２０の外周面には、周方向に延在する凹溝状の段差２６が形成されている。この段差２６は、口部２０と押圧部２３との接続部分に配設されており、これにより、押圧部２３は段差２６を支点にして撓み変形される。なお、段差２６は、口部２０の全周に亘って延設されているが、少なくとも押圧部２３の横幅の範囲に延設されていればよい。
【００２９】
また、図１、図２に示すように、内容器２の周壁部２１の外周面には、ガイド溝３４に摺動可能に嵌合されるガイド部２５が突設されている。このガイド部２５は、軸方向に沿って平行に延設された二本の凸条部からなる。
また、図２に示すように、ガイド部２５及び押圧部２３は、それぞれ軸線Ｏを挟んで一対ずつ配設されており、これら一対のガイド部２５と一対の押圧部２３とは、互いに直交する位置に配設されている。
【００３０】
続いて、中蓋４及び外装蓋５の構成について説明する。
図１に示すように、中蓋４は、軸線Ｏに対して垂直に配設された浅皿状の板部であり、内容器２の口部２０に着脱可能に嵌合されている。中蓋４の外縁部は、内容器２の口部２０の上端部に形成された拡径部２７に全周に亘って係止されている。また、中蓋４の外縁部には、径方向内側に突出した摘み部４０が設けられている。
【００３１】
外装蓋５は、外容器３の口部３０に螺着される有頂筒状のキャップ体であり、その概略構成としては、軸線Ｏに対して垂直に配設された円盤状の天壁部５０と、天壁部５０の外縁から垂下された円筒形状の周壁部５１と、を備えている。
周壁部５１の内周面には、外容器３の口部３０の雄ねじ３３に螺合される雌ねじ５２が形成されている。また、外装蓋５の内側には、円盤状のパッキン６が嵌合されている。このパッキン６は、外装蓋５の天壁部５０の下面に接合されており、パッキン６の外周部が、外装蓋５の天壁部５０の下面と内容器２の口部２０の上端面との間に挟み込まれてシールされ、内容器２内が密封されている。
【００３２】
次に、上記した構成の二重容器１の作用について説明する。
例えば内容器２内の内容物が無くなった場合など、外容器３内の内容器２を新たな内容器２と交換する際には、まず、外装蓋５を外容器３から取り外す。このとき、外装蓋５と共にパッキン６が取り外される。
なお、中蓋４は、初めに開封した際に内容器２の口部２０から取り外し、その後、内容器２の口部２０には取り付けられずに廃棄してもよい。なお、内容器２の交換時に中蓋４が内容器２の口部２０に取り付けられていてもよい。
【００３３】
次に、図７（ｂ）に示すように、押圧部２３の押圧面２３ａを押圧して押圧部２３を径方向内側に向けて回動させる。これにより、押圧部２３に設けられた可撓腕部２９が径方向内側に移動し、その可撓腕部２９に設けられた係止部２４が外容器３の被係止部３６から外れ、内容器２の上方移動が許容される。このとき、内容器２の口部２０と押圧部２３との連結部分に、周方向に沿って延在する段差２６が形成されているので、押圧面２３ａを押圧する力が内容器２の口部２０に伝達されることを阻害し、内容器２の口部２０の変形が抑えられる。
【００３４】
次に、押圧面２３ａを押圧したまま内容器２を引き上げて外容器内から抜き出す。これにより、外容器３内から内容器２が取り出される。
【００３５】
次に、新たな内容器２を外容器３内に挿入する。具体的に説明すると、内容器２と外容器３との周方向の相対的な位置合わせを行いつつ、内容器２を外容器３の内側に挿入する。すなわち、内容器２のガイド部２５と外容器３のガイド溝３４との位置を合わせると共に、内容器２の押圧部２３と外容器３の切欠部３５との位置を合わせ、その後、内容器２を外容器３の内側に挿入する。これにより、ガイド部２５がガイド溝３４内に挿入されてガイド溝３４内に嵌合されると共に、押圧部２３が切欠部３５内に挿入される。
【００３６】
上記したように押圧部２３が切欠部３５内に挿入されると、まず、可撓腕部２９の下端に設けられた係止部２４の傾斜面２４ａが切欠部３５内の被係止部３６の傾斜面３６ａに当接する。続いて、内容器２を外容器３の内側にさらに押し込み、押圧部２３が切欠部３５内にさらに深く挿入されると、図８に示すように、係止部２４の傾斜面２４ａが被係止部３６の傾斜面３６ａ上を摺動しながら、係止部２４が被係止部３６によって押圧されて可撓腕部２９が容器周方向の凸部２８側（押圧部２３の横幅方向の中央側）に撓み変形する。このとき、容器周方向に傾斜した上記した傾斜面２４ａ、３６ａによって可撓腕部２９の撓み方向が容器周方向に案内される。そして、係止部２４が被係止部３６を乗り越えると、可撓腕部２９が弾性力によって復元され、係止部２４が被係止部３６の下方に嵌め込まれ、係止部２４の上面が被係止部３６の下面に係止される。その結果、内容器２と外容器３との相対的な周方向の回転が規制されると共に、内容器２と外容器３との相対的な軸方向の移動が規制されて、内容器２が外容器３内に固定される。
【００３７】
また、上述したように係止部２４が被係止部３６を乗り越える際に、押圧部２３には係止部２４及び可撓腕部２９を介して上向きの応力が作用し、レバー部１０の先端部（上端部）は上方に移動しようとする力を受ける。そのため、レバー部１０の先端の連結部１１と周壁部２１の外周面との境界部分の連結が解かれるようになっている。ただし、この場合であっても、レバー部１０は、自身の弾性力により押圧部２３を径方向外側に回動するように付勢している。
【００３８】
次に、有頂筒状の外装蓋５を外容器３に螺着させる。
以上により、二重容器１における内容器２の交換作業が完了する。
【００３９】
上記した二重容器１によれば、押圧部２３の可撓腕部２９に設けられた係止部２４が容器周方向に向けて突出され、この係止部２４が外容器３の被係止部３６に下方から係止されているので、係止部２４が被係止部３６から誤って外れにくい。したがって、内容器２が不用意に外容器３内から抜け出ることを防止することができる。
【００４０】
また、レバー部１０が押圧部２３を容器径方向外側に回動するように付勢しているので、内容器２を外容器３から取り出す前の段階において、押圧部２３の係止部２４が外容器３の被係止部３６に対してより確実に係止している。よって、内容器２は外容器３内により強固に固定された状態となっている。従って、外容器３から内容器２を抜け難くすることができ、二重容器としての信頼性を高めることができる。
【００４１】
また、レバー部１０が押圧部２３を容器径方向外側に回動するように付勢しているので、内容器２の製造段階において、押圧部２３が容器径方向内側に撓んでしまうような癖が付き難い。しかも、その後に内容器２を搬送するような場合、内容器２同士が接触したり、内容器２がなんらかに接触したりしたとしても、やはり押圧部２３が容器径方向内側に撓んでしまうような癖が付き難い。
加えて、本実施形態の場合には、内容器２が製造された段階で、レバー部１０の先端の連結部１１が周壁部２１の外周面に連結されているため、レバー部１０を介して押圧部２３が保持されている。この点においても、押圧部２３に癖が付き難い状態となっている。
従って、これらのことから、内容器２を外容器３内に挿入して組み付ける際に、押圧部２３の可撓腕部２９に設けられた係止部２４を外容器３の被係止部３６に対して確実に係止させることができ、内容器２と外容器３とを強固に組み合わせることができる。
【００４２】
また、内容器２の口部２０と押圧部２３との連結部分に段差２６が形成されているので、押圧面２３ａを押圧する力が内容器２の口部２０に伝達され難く、内容器２の口部２０の変形が抑えられる。よって、押圧面２３ａを押圧して内容器２の係止部２４と外容器３の被係止部３６との係合を外したとき、内容器２の周壁部２１の外周面が外容器３の周壁部３１の内周面に圧接されない。したがって、内容器２を外容器３内から容易に引き抜くことができ、内容器２の交換時における操作性を向上させることができる。
【００４３】
以上、本発明に係る二重容器の実施形態について説明したが、本発明は上記した実施形態に限定されるものではなく、その趣旨を逸脱しない範囲で適宜変更可能である。
例えば、上記実施形態では、容器周方向に傾斜した傾斜面３６ａを有する略三角形状の被係止部３６が外容器３に設けられており、内容器２を外容器３の内側に挿入したときに可撓腕部２９が容器周方向に撓み変形する構成となっているが、本発明における被係止部の形状は適宜変更可能であり、可撓腕部が容器周方向以外の方向に撓み変形する構成であってもよい。例えば、図９（ａ）に示すように、外容器３の切欠部３５内に、容器径方向に傾斜した傾斜面１３６ａを有する略三角形状の被係止部１３６が設けられていてもよい。これにより、内容器２を外容器３の内側に挿入したとき、図１０に示すように、上記した被係止部１３６の傾斜面１３６ａ上を係止部２４が摺動しながら、可撓腕部２９が容器周方向内側に向けて撓み変形し、係止部２４が被係止部１３６を乗り越える。
また、本発明は、図９（ｂ）に示すように、外容器３の切欠部３５内に、球面状の傾斜面２３６ａを有する被係止部２３６が設けられていてもよい。
【００４４】
また、上記実施形態では、押圧部２３が内容器２の口部２０から垂下されているが、本発明は、押圧部２３が口部２０以外から垂下されていてもよい。例えば、口部２０の下方に、径方向外側に突出したフランジ部が設けられ、このフランジ部から押圧部２３が垂下されていてもよい。
【００４５】
また、上記実施形態では、押圧部２３と内容器２の口部２０との連結部分に凹溝状の段差２６が形成されているが、本発明は、凹溝状以外の段差を形成することも可能である。例えば、押圧部２３を内容器２の口部２０よりも径方向外側に配設して、押圧部２３と内容器２の口部２０との連結部分に階段状の段差を形成することも可能である。さらに本発明は、上記した段差２６を省略することも可能である。
【００４６】
また、上記実施形態では、切欠部３５の背壁面３７と側壁面３８との隅角部に被係止部３６が設けられているが、本発明は、被係止部３６の位置は適宜変更可能である。例えば、切欠部３５の背壁面３７や側壁面３８から離間した位置に被係止部３６が配設されていてもよい。さらに、本発明は、上記した切欠部３５を省略することも可能であり、例えば、外容器３の周壁部３１の内周面に被係止部が突設され、その被係止部に係止部２４が係止される構成であってもよい。
【００４７】
また、上記実施形態では、内容器２にガイド部２５が設けられ、外容器３にガイド溝３４が設けられているが、本発明は、これらを適宜省略することも可能である。
また、上記実施形態では、左右一対の押圧部２３が内容器２に設けられているが、本発明は、押圧部を１つにすることも可能であり、或いは、３つ以上の押圧部を設けることも可能である。
また、上記実施形態では、押圧部２３の下端に凸部２８が形成されており、その凸部２８の両側に可撓腕部２９、２９がそれぞれ設けられているが、本発明は、上記した凸部２８が無い構成にすることも可能である。また、本発明は、１つの押圧部２３に設けられる可撓腕部２９の本数は適宜変更可能であり、１つの押圧部２３に可撓腕部２９が１本だけ設けられた構成であってもよく、或いは、１つの押圧部２３に３本以上の可撓腕部２９が設けられた構成であってもよい。
【００４８】
また、上記実施形態では、内容器２の製造段階でレバー部１０の連結部１１が周壁部２１に連結されているが、必ずしも連結されている必要はなく、内容器２の製造段階で連結部１１が周壁部２１から分離された構成であってもよい。
【００４９】
また、上記実施形態では、レバー部１０を押圧部２３の下端部の内面に設けた場合を例に挙げて説明したが、下端部以外、例えば押圧部２３の中央部の内面に設けても構わない。更に、レバー部１０を径方向内側で且つ下方に向かって延在するように形成しても構わない。
また、レバー部１０を複数設けても構わない。例えば、押圧部２３の下端部の内面と中央部の内面とにそれぞれ設けても構わない。
また、レバー部１０を押圧部２３側に設けるのではなく、周壁部２１側に設けても構わない。この場合であっても、同様の作用効果を奏することができる。なお、この場合において、内容器２の製造段階でレバー部１０の先端の連結部１１を押圧部２３の内面に連結させた状態にしても構わない。
さらに、上記したレバー部１０を省略することも可能である。
【００５０】
その他、本発明の主旨を逸脱しない範囲で、上記した実施の形態における構成要素を周知の構成要素に置き換えることは適宜可能であり、また、上記した変形例を適宜組み合わせてもよい。
【符号の説明】
【００５１】
１  二重容器
２  内容器
３  外容器
１０  レバー部（付勢体）
２３  押圧部
２４  係止部
２９  可撓腕部
３６、１３６、２３６  被係止部
【図１】
2011157083.tif 000003
【図２】
2011157083.tif 000004
【図３】
2011157083.tif 000005
【図４】
2011157083.tif 000006
【図５】
2011157083.tif 000007
【図６】
2011157083.tif 000008
【図７】
2011157083.tif 000009
【図８】
2011157083.tif 000010
【図９】
2011157083.tif 000011
【図１０】
2011157083.tif 000012